(57)【要約】【課題】  動映像擬似輪郭を低減すると同時に映像を精細に表現できるディスプレー装置を提供する。【解決手段】  本発明はディスプレー装置に関し、映像のフレームを視分割する複数のサブフィールドで処理するディスプレー装置において；映像信号を所定の動映像階調に変換する階調変換器を含んで；前記動映像階調は連続する少なくとも一つの発光サブフィールドと連続する少なくとも一つの非発光サブフィールドを持つ線形階調と、前記線形階調の前記発光サブフィールドの中で、前記非発光サブフィールドと連続しない一つのサブフィールドが非発光サブフィールドである中間階調を含む。【選択図】      図４ 
2005321775.tif 000002
【特許請求の範囲】
【請求項１】
映像のフレームを視分割する複数のサブフィールドで処理するディスプレー装置において；
映像信号を所定の動映像階調に変換する階調変換器を含み；
前記動映像階調は、連続する少なくとも一つの発光サブフィールドと連続する少なくとも一つの非発光サブフィールドを持つ線形階調と、前記線形階調の前記発光サブフィールドの中で、前記非発光サブフィールドと連続しない一つのサブフィールドが非発光サブフィールドである中間階調を含むことを特徴とするディスプレー装置。
【請求項２】
前記階調変換部は、前記映像信号を前記中間階調より前記線形階調に変換する頻度が高いことを特徴とする請求項１に記載のディスプレー装置。
【請求項３】
前記映像信号の動きの程度を測定する動き測定部をさらに含んで、
前記階調変換部は、前記動き測定部の測定結果により、前記映像信号を前記各中間階調に隣接した階調と前記各中間階調の間の階調レベルを持つ所定仮想階調の中で、いずれか一つに変換して、前記仮想階調に隣接した前記動映像階調の中でいずれか一つに変換することを特徴とする請求項１に記載のディスプレー装置。
【請求項４】
前記動映像階調は、隣接した前記線形階調の間に所定基準個数以下の前記中間階調を持つことを特徴とする請求項１に記載のディスプレー装置。
【請求項５】
前記動映像階調は、隣接した前記線形階調の間に一つの前記中間階調を持つことを特徴とする請求項１に記載のディスプレー装置。
【請求項６】
前記階調変換部は、
前記中間階調に隣接した二つの前記線形階調と前記中間階調間の所定の上位階調と下位階調を構成して、前記上位階調と前記下位階調の間の階調レベルを持つ前記映像信号を前記上位階調と前記下位階調の中でいずれか一つに変換させる第１階調補正部と；
前記上位階調及び前記下位階調を各々に隣接した線形階調と前記中間階調の中でいずれか一つに変換する第２階調補正部を含むことを特徴とする請求項５に記載のディスプレー装置。
【請求項７】
前記第２階調補正部は、前記上位階調及び前記下位階調の各々に隣接した線形階調の間の階調レベルを持つ映像信号を前記の隣接した線形階調と前記中間階調の中でいずれか一つに変換することを特徴とする請求項６に記載のディスプレー装置。
【請求項８】
前記階調変換は、ディザリング方法と誤差拡散方法の中で、いずれか一つにより処理されることを特徴とする請求項３または７に記載のディスプレー装置。
【請求項９】
入力映像信号が動映像信号であるか否かを検出する動映像検出部をさらに含んで、
前記階調変換部は、前記動映像検出部から動映像信号として検出された場合、前記映像信号を前記動映像階調に変換することを特徴とする請求項１に記載のディスプレー装置。
【請求項１０】
映像のフレームを視分割する複数のサブフィールドで処理するディスプレー装置において；
映像信号を所定の動映像階調に変換する階調変換器を含んで；
前記動映像階調は、複数の発光サブフィールドと一つの非発光サブフィールドが連続する一連のサブフィールドと、前記一連のサブフィールドの中で、前記発光サブフィールドに連続する少なくとも一つの非発光サブフィールドを持つ階調を含むことを特徴とするディスプレー装置。
【請求項１１】
前記映像信号の動きの程度を測定する動き測定部をさらに含んで、
前記階調変換部は、前記動き測定部の測定結果により前記映像信号を前記映像信号の階調レベルと隣接した第１隣接階調と、前記第１隣接階調に隣接した第２隣接階調と、前記第２隣接階調に隣接した第３隣接階調の中で、いずれか一つに変換することを特徴とする請求項１１に記載のディスプレー装置。
【請求項１２】
前記階調変換部は；
前記動き測定部の測定結果により前記映像信号を前記隣接階調間の仮想階調の中で、いずれか一つに変換する第１階調補正部と；
前記第１階調補正部からの変換諧調を前記仮想階調と隣接した前記隣接階調の中で、いずれか一つに変換する第２階調補正部を含むことを特徴とする請求項１２に記載のディスプレー装置。
【請求項１３】
前記階調変換部は、前記映像信号の階調レベルに基づき、前記変換する階調を決定することを特徴とする請求項１２または１３に記載のディスプレー装置。
【発明の詳細な説明】
【技術分野】
【０００１】
本発明はディスプレー装置に関し、より詳細に説明すると、映像のフレームを視分割する複数のサブフィールドで処理するディスプレー装置に関する。
【背景技術】
【０００２】
ディスプレー装置の中で、視分割方式を利用して階調を表すＰＤＰ（プラズマディスプレイパネル）、ＤＭＤ（デジタルミラーデバイス）のような装置では動く物体の画像で擬似輪郭が発生する場合がある。ここで擬似輪郭とは、動き領域で、周囲領域との階調の差が視覚的に累積され、等高線のような残像に見えることを意味する。
【０００３】
図１は、動映像擬似輪郭を低減するためのＰＤＰの概略的な制御ブロック図である。図１に示されたように、ＰＤＰは逆ガンマ補正部１０１、階調制限及び誤差拡散部１０２、ディザ回路１０３、動き検出部１０４、選択部１０５及びパネル制御部１０６を有する。
【０００４】
逆ガンマ補正部１０１は、入力映像信号を次のような式（１）により変換し、出力する。ここで入力される映像信号はＲ、Ｇ、Ｂそれぞれの輝度レベル情報を持つ。入出力輝度レベルが定数によって表現される時、少数点以下の輝度情報は誤差となる。
【０００５】
Ｙ  ＝  Ｘ２．２        （１）
（ここでＸは入力映像信号を、Ｙは出力信号を表す）
階調制限及び誤差拡散部１０２は、このような誤差を周辺画素の輝度に反映されるようにする。すなわち、発生した誤差を加重して、周辺画素の輝度に足し、周辺画素の誤差を逆ガンマ補正部１０１より入力された輝度情報に反映する。
【０００６】
階調制限及び誤差拡散部１０２におけるより重要な機能は、逆ガンマ補正部１０１の出力を動映像の擬似輪郭を低減するための適当な階調によって表現することである。
【０００７】
図２は、加重された各サブフィールドにより表示可能な階調の中で、一部が羅列された表１を示したものである。
【０００８】
以下、表１を参照して階調の構成を具体的に説明する。
【０００９】
１フレームが８個のサブフィールド（ｓｆ１〜ｓｆ８）で分けられており、各々サブフィールドに順次に１、２、４、８、１６、３２、６４、１２８個の維持パルスが加重されている。各階調は、各サブフィールドの発光状態の調合により決定されて、これの発光状態を１とし、非発光状態を０で示したコードワードで表示されている。例えば、階調［３］のコードワードは（１１００００００）で表される。階調は、コードワードの選択により、１フレーム間の発光する総維持パルスの数と一致することがわかる。
【００１０】
表１の右側列の使用階調は、動映像信号の擬似輪郭を低減するために選択された階調である。そしてディザ階調は、使用階調と一緒に停止映像を表示するために使われる階調である。ディザ値は、ディザ階調が持つ固有値で、隣接した使用階調との差と同じである。このように表１で示したサブフィールドにより、表示することが可能な階調の範囲は［０〜２５５］階調であるが、特定コードワードの階調のみを選択的に使用している。
【００１１】
すなわち、階調制限及び誤差拡散部１０２は、逆ガンマ補正部１０１の出力を停止映像の表示のための一連の系統群（使用階調＋ディザ階調）に制限して、発生するすべての誤差を周辺画素に拡散させる。
【００１２】
ディザ回路１０３は、入力された階調がディザ階調である場合該当ディザ値を、動き検出部１０４は、映像信号が表すイメージの動きを検出して、その検出結果を選択部１０５に出力する。
【００１３】
選択部１０５は、動き検出部１０４から映像信号が停止映像であると検出された場合、ディザ回路１０３から入力された階調をそのまま後段のパネル制御部１０６に出力する。その反面、動映像であると検出された場合、選択部１０５は、ディザ回路１０３から入力された階調を動映像の表示のための使用階調へ変換して、出力する。
【００１４】
例えば、映像信号の輝度レベルが［４４］の場合、階調制限及び誤差拡散部１０２は、ディザ階調［４７］に変換して［３］だけの誤差を周辺画素に拡散させる。動き検出部１０４から動映像として検出された場合、選択部１０５は、ディザ階調にディザ値を加減して、隣接する使用階調へ変換させる。具体的には、偶数フレームではディザ値をたし算をして、［４７］＋［１６］＝［６３］使用階調へ変換し、奇数フレームではディザ値を引き算して、［４７］−［１６］＝［３２］使用階調へ変換する。結局、時間的に平均［４７］階調を持つようにして、元の映像に近い映像を得るようになる。
【００１５】
図３は、従来の動映像を表現するための動映像階調のサブフィールドコードワードを表したものである。図３に示されたように、従来の動映像階調は、隣接階調の間に１ビットの遷移が線形的に発生されている。このような階調は、動映像の擬似輪郭を低減に効果的であると知られている。しかし、このような線形動映像階調は、サブフィールドが８個の時、表示階調は９個に限定される。表示可能な階調の数が限定されていて、動映像の動きが遅い場合、映像を精細に表示することができない問題があった。
【発明の開示】
【発明が解決しようとする課題】
【００１６】
従って、本発明の目的は、動映像擬似輪郭を低減すると同時に映像を精細に表現できるディスプレー装置を提供することである。
【課題を解決するための手段】
【００１７】
前記の目的は、本発明により、映像のフレームを視分割する複数のサブフィールドで処理するディスプレー装置において；映像信号を所定の動映像階調に変換する階調変換器を含んで；前記動映像階調は、連続する少なくとも一つの発光サブフィールドと連続する少なくとも一つの非発光サブフィールドを持つ線形階調と、前記線形階調の前記発光サブフィールドの中で、前記非発光サブフィールドと連続しない一つのサブフィールドが非発光サブフィールドである中間階調を含むことを特徴とするディスプレー装置により、達成される。
【００１８】
前記階調変換部は、前記映像信号を前記中間階調より前記線形階調へ変換する頻度を高めることが擬似輪郭を低減に効果的である。
【００１９】
前記ディスプレー装置は、前記映像信号の動きの程度を測定する動き測定部をさらに含んで、前記階調変換部は、前記動き測定部の測定結果により前記映像信号を前記各中間階調に隣接する階調と前記各中間階調の間の階調レベルを持つ所定の仮想階調の中で、いずれか一つに変換して、前記仮想階調に隣接した前記動映像階調の中で、いずれか一つに変換することができる。
【００２０】
ここで前記動映像階調は、隣接した前記線形階調の間に所定の基準個数以下の前記中間階調を持つことによって制限して、擬似輪郭発生を減らせる。従って、前記動映像階調は、隣接した前記線形階調の間に一つの前記中間階調を持つことによって制限される。
【００２１】
この時、前記階調変換部は、前記中間階調に隣接した二つの前記線形階調と前記中間階調間の所定の上位階調と下位階調を構成して、前記上位階調と前記下位階調の間の階調レベルを持つ動映像信号を前記上位階調と前記下位階調の中でいずれか一つに変換する第１階調補正部と；前記上位階調及び前記下位階調を各々に隣接した線形階調と前記中間階調の中でいずれか一つに変換する第２階調補正部を含むことができる。
【００２２】
そして、前記第２階調補正部は、前記上位階調及び前記下位階調の各々に隣接した線形階調の間の階調レベルを持つ動映像信号を前記隣接する線形階調と前記中間階調の中でいずれか一つに変換するようになる。もちろん前記階調変換はディザリング方法と誤差拡散方法の中でいずれか一つにより処理される。
【００２３】
前記ディスプレー装置は、入力映像信号が動映像信号であるか否かを検出する動映像検出部をさらに含んで、前記階調変換部は、前記動映像検出部から動映像信号として検出された場合、前記映像信号を前記動映像階調に変換することもできる。
【００２４】
また、前記の目的は、本発明による、映像のフレームを視分割する複数のサブフィールドで処理するディスプレー装置において；映像信号を所定の動映像階調に変換する階調変換器を含んで；前記動映像階調は、複数の発光サブフィールドと一つの非発光サブフィールドが連続する一連のサブフィールドと、前記一連のサブフィールドの中で前記発光サブフィールドに連続する少なくとも一つの非発光サブフィールドを持つ階調を含むことを特徴とするディスプレー装置によっても達成される。
【００２５】
前記ディスプレー装置は、前記映像信号の動きの程度を測定する動き測定部をさらに含んで、前記階調変換部は、前記動き測定部の測定結果により前記映像信号を前記映像信号の階調レベルと、隣接した第１隣接階調と、前記第１隣接階調に隣接した第２隣接階調と、前記第２隣接階調に隣接した第３隣接階調の中でいずれか一つに変換することが映像信号の動きの程度に適応するのに効果的である。
【００２６】
ここで、前記階調変換部は；前記動き測定部の測定結果により前記映像信号を前記隣接階調の間の仮想階調の中でいずれか一つに変換する第１階調補正部と；前記第１階調補正部からの変換諧調を前記仮想階調と隣接した前記隣接階調の中でいずれか一つに変換する第２階調補正部を含むことができる。ここで前記階調変換部は、前記映像信号の階調レベルに基づき、前記変換する階調を決定することで、変換階調と元映像信号の階調の差が克明に明らかにされることを防止できる。
【発明の効果】
【００２７】
本発明により、動映像信号に対する精細な表現が可能であると同時に擬似輪郭を効果的に低減させられる。
【発明を実施するための最良の形態】
【００２８】
以下、添付図を参照して、本発明の実施例を詳細に説明する。
【００２９】
図４は、本発明の実施例によるディスプレー装置の制御ブロック図である。図４に示されたように、ディスプレー装置は、動映像検出部１０と、階調変換器２０及びパネル駆動部３０を持つ。
【００３０】
動映像検出部１０は、入力映像信号が動映像信号であるか否かを検出する。検出技法としては、一定大きさのブロック単位で、以前フレームと現在フレームの動きベクターを抽出する動き評価技法（ｍｏｔｉｏｎ  ｅｓｔｉｍａｔｉｏｎ）、画素の映像値の変化を推定する動き算出技法（ｍｏｔｉｏｎ  ｄｅｔｅｃｔｉｏｎ）等が使われる。
【００３１】
階調変換器２０は、動映像検出部１０の検出結果により映像信号を動映像階調と停止映像階調の中でいずれか一つに変換して、パネル駆動部３０に出力する。
【００３２】
階調変換器２０は、逆ガンマ補正部２１、階調制限及び誤差拡散部２２等を含むことができる。逆ガンマ補正部２１は、入力映像信号に対しガンマ補正をし、階調制限及び誤差拡散部２２は、ガンマ補正の過程で発生する誤差を拡散させる。階調変換器２０は、第１階調補正部２３と第２階調補正部２４をさらに含むことができる。これらの階調補正部については擬似輪郭低減の方法と共に具体的に後述する。
【００３３】
パネル駆動部３０は、各画素単位で入力される階調によってパネルの該当画素を発光させる。
【００３４】
階調変換器２０は、動映像検出部１０の検出結果により入力映像信号を動映像階調または停止映像階調に変換するため、動映像に対する擬似輪郭を低減すると共に停止映像に対しては細かく階調を表現できる。
【００３５】
本実施例のディスプレー装置は、入力映像信号の動きの程度を測定する動き測定部４０をさらに含むことができる。動き測定部４０の測定結果、動きが速い場合、階調変換器２０は、擬似輪郭が大きく低減されるようにして、動きが遅い場合には、より精細に映像がディスプレーされるよう諧調を変換させる。
【００３６】
以下、本発明の実施例により精細な映像の表現が可能な動映像階調と動映像擬似輪郭を減らすための方法を具体的に説明する。
【００３７】
まず、本発明の実施例では、動映像階調は線形階調と中間階調で構成されている。
【００３８】
線形階調は、連続する発光サブフィールドと連続する非発光サブフィールドを持つ。前記のように、サブフィールドコードワードの各ビットは、各サブフィールドの発光の可否を表すことで、具体的に'１'のビットは発光、'０'のビットは非発光サブフィールドを表すことができる。
【００３９】
本発明の実施例で、サブフィールドは、所定個数（たとえば１２個）で構成されて、一番目のサブフィールドから最後のサブフィールドまで維持パルスの個数が増加する順に加重されており、サブフィールドが８個である場合と比較して、サブフィールド間の維持パルスの個数の増加幅を異なるように割り当てて、加重できる。例えば総１２個のサブフィールドである場合、線形階調はコードワードで（１１１１００００００００）のように表現される。
【００４０】
中間階調は、線形階調の発光サブフィールドの中で、非発光サブフィールドと連続しない一つのサブフィールドが非発光サブフィールドである階調を含んでいる。例えば、総１２個のサブフィールドである場合、中間階調はコードワードで（１１０１００００００００）のように表現される。中間階調の非発光サブフィールドは、連続する非発光サブフィールドと隣接しないならば、発光サブフィールドの中から任意に選択される。但し、この場合、精細な階調を表示するためには、中間階調が隣接する線形階調の算術平均レベルに近い階調になるように選択されることが好ましい。
【００４１】
このような動映像階調は、従来のサブフィールド個数に１を足した個数の表示諧調より多い表示階調を持っていて（たとえば、１２個のサブフィールドである場合、２４個の表示階調具現可能）精細な映像表示が可能であるが、擬似輪郭が発生する可能性も増加するようになる。従って、映像信号が中間階調よりは線形階調へ変換される頻度を高めることが、擬似輪郭を低減させるのに効果的な方法になれる。このような頻度調整は、誤差拡散処理、ディザリングなどで行うことができる。
【００４２】
図５は、ディザリング技法を利用して、階調変換の頻度を調整する方法を説明するための階調分布図である。図５に示したように、線形階調［Ｘ１］と［Ｘ２］との間に、中間階調［Ｍ１］がある場合を例にあげて説明する（ここで、［Ｘ１］＜［Ｘ２］である）。
【００４３】
階調変換器２０は、ディザリングのために、中間階調と線形階調の間、すなわち［Ｍ１］と、［Ｘ２］の間と、［Ｍ１］と［Ｘ１］の間に各々所定の上位階調［Ｕ１］と、下位階調［L１］を設定する。ここで、上位階調及び下位階調は、隣接階調の算術平均階調レベルに近く調節することが好ましい。
【００４４】
階調変換器２０は、線形階調の間の階調レベルを持つ映像信号に対して、階調レベルの大きさにより処理が異なる。
【００４５】
まず、階調変換器２０は、上位階調［Ｕ１］と下位階調［Ｌ１］の間の階調レベルを持つ映像信号が入力される場合、映像信号を上位階調と下位階調の中でいずれか一つに変換する。
【００４６】
この時、転換技法として次のようなダイナミックディザリング技法が使われる。ダイナミックディザリング技法は、映像信号の階調レベルと隣接諧調間の相対的な大きさ、画素の位置に対する加重値などを反映して、映像信号を隣接階調へ変換する。式（２）はこのような関係を反映している。
閾値＝Ｓ'  ＴＩＭＥＳ{（ＥＤｘ-ｌｏｗｅｒ）}ｏｖｅｒ{（ｕｐｐｅｒ-ｌｏｗｅｒ）}（２）
（ここで、Ｓは任意の比例常数、ＥＤｘは映像信号の諧調、ｕｐｐｅｒは上位隣接諧調、ｌｏｗｅｒは下位隣接諧調、閾値は相手的な諧調値を表す）
式（２）によると、ＥＤｘがｌｏｗｅｒである場合、閾値は０になって、ｕｐｐｅｒである場合には閾値がＳとなる。このように閾値は、映像信号の階調と隣接階調との相対的な諧調差を数値で表したのである。閾値の大きさにより変換されて出力される隣接諧調を選択する。または閾値に画素の位置による加重値を足して、そのたし算の結果により変換する隣接諧調を選択することもできる。
【００４７】
また、図５を参照すると、上位階調［Ｕ１］と、下位階調［Ｌ１］を上位隣接階調及び下位隣接階調にして、ダイナミックディザリングを適用する（以下、‘第１ディザリング’という）。
【００４８】
そして、上位階調［Ｕ１］と、下位階調［Ｌ１］の中でいずれか一つに変換された映像信号は、隣接する線形階調［Ｘ２］、［Ｘ１］の中でいずれか一つと中間階調［Ｍ１］を上位／下位隣接階調にするディザリングを適用して、最終動映像階調に変換される（以下、‘第２ディザリング’という）。これによって、映像信号は中間階調よりは線形階調へ変換される頻度が多くなるようになる。
【００４９】
一方、上位階調と下位階調との間の階調レベルを持たない映像信号すなわち、上位階調［Ｕ１］と、線形階調［Ｘ２］の間、あるいは下位階調［Ｌ１］と、線形階調［Ｘ１］の間の階調レベルに対しては第２ディザリングだけが適用される。
【００５０】
以上を整理すると、本発明の実施例で動映像階調は隣接する表示諧調間のコードワードの２ビット遷移を許し、表示階調の数を増加させる一方、これにともなう変換頻度を調節することで動映像の擬似輪郭を低減できる。
【００５１】
一方、本発明の他の実施例によると、中間階調の数がさらに増加した動映像階調を持つことができる。
【００５２】
すなわち、動映像階調は線形階調の間に複数の中間階調を表示階調として使用する。例えば、線形階調［Ｘ１］と［Ｘ２］の間に７個の中間階調［Ｍ１］〜［Ｍ７］を持つようにできるが、中間階調の個数は適切に調整可能である。
【００５３】
これによって、表示階調の数は前の実施例よりはるかに増加して、映像をより精細に表示できるようになる。前の実施例と同様に追加された中間階調は、隣接階調と２ビットのビット遷移を持つようにできる。この場合に依然として擬似輪郭が発生する可能性はより一層大きくなったといえる。
【００５４】
擬似輪郭を低減させるために、図５の場合のような第１及び第２ディザリングを適用できる。
【００５５】
まず、第１ディザリングを適用するために、中間階調の間に上位階調及び下位階調を設定する。そして入力映像信号の階調レベルが上位階調と下位階調の間に位置する場合、これに対してディザリングを適用して、隣接する上位階調と下位階調の中でいずれか一つに変換する。次に変換された上位階調及び下位階調に対して隣接した中間階調または線形階調の中でいずれか一つに変換する第２ディザリングを遂行する。
【００５６】
ここで、ディスプレー装置は、動き測定部４０をさらに含むことが好ましい。動き測定部４０は、動映像の動きの程度を測定する。これは、動映像検出部の検出方法を通して、測定されるもので、動きの程度／速さが測定される。
【００５７】
動きがはやい場合には、擬似輪郭が発生する余地が大きいため、２ビット遷移を持つ動映像階調に対するディザリングを修正する必要がある。
【００５８】
図６を参照して、線形階調［Ｘ１］と［Ｘ２］の間に７個の中間階調［Ｍ１］〜［Ｍ７］があって、各階調の間には所定の仮想階調［Ｈ１］〜［Ｈ８］が設定された場合を例として説明する。ここで図６の中間階調［Ｍ１］と、図５の中間階調［Ｍ１］互いに別の値である。
【００５９】
各仮想階調は、映像信号の階調レベルにより前記上位階調及び下位階調として利用される。この場合、最初のディザリングを適用するに当たって、隣接した上位階調と下位階調の中でいずれか一つに変換せず、動きの程度に従って線形階調の間に位置する任意の仮想階調に変換するのである。
【００６０】
例えば、映像信号の階調レベル［Ｓ１］が中間階調［Ｍ４］近辺の値を持つと、動きが小さい場合には、'１ｓｔｅｐ'と表示されたように、これと隣接した仮想階調［Ｈ４］、［Ｈ５］の中でいずれか一つに変換される。しかし、動きが速い場合には、'２ｓｔｅｐ'と表示されたように、仮想階調［Ｈ３］、［Ｈ６］の中でいずれか一つに変換される。また、より速い動きが測定された場合、映像信号は'３ｓｔｅｐ'のように、仮想階調［Ｈ２］、［Ｈ７］の中でいずれか一つに変換される。変換された仮想階調は、第２ディザリングにより、隣接する中間階調または線形階調の中いずらか一つに変換される。
【００６１】
これにより動映像の動きの程度に従って適応しながら擬似輪郭を調節できるようになる。しかし、動きが速い場合には、変換された元映像信号と変換された階調の差が大きくなる問題点がある。従って、視覚的に鋭敏な暗い諧調領域に対しては大幅な変換、例えば'３ｓｔｅｐ'、'４ｓｔｅｐ'などを許さないで、明るい階調領域に対しては大幅な変換を許すことが好ましい。ここで、擬似輪郭の発生を減らすために、各線形階調の間に位置する中間階調の数は所定の基準個数以下に制限することも好ましい。
【００６２】
本実施例のように、映像の移動程度により擬似輪郭を適応しながら調節するようになれば、２ビット遷移を持つ多様なコードワードを使用して、動映像階調で使用できる。
【００６３】
これを反映して、本発明の他の実施例では、中間階調だけで構成された動映像階調を表現できる。
【００６４】
この場合には、動映像階調に線形階調が排除されており、動映像階調は前の実施例よりさらに多い表示階調が使われて、映像を精細に表示できるようになる。ここの動映像階調は、線形階調を持たないために、動きを測定してそれにより適応して諧調を変換させる。
【００６５】
すなわち、動きの程度により、映像信号は、映像信号の階調レベルに隣接した第１隣接諧調、第１隣接階調と隣接したすなわち、二番目に隣接した第２隣接諧調、第３隣接諧調、第４隣接階調の中でいずれか一つに変換される。しかし、前述したように、動きが大きい場合、映像信号の階調と変換された隣接階調の間には大きい誤差が生じる問題がある。従って、映像信号の階調レベルを共に考慮して、人の視覚が鋭敏なレベルに対しては変換差を制限することが好ましい。
【００６６】
もちろん隣接階調の中でいずれか一つに変換する過程は、第１ディザリングによって各階調間の仮想の上位/下位階調に変換して、第２ディザリングによって各階調に変換するようにして、頻度数を調節することもできる。
【００６７】
前記した実施例では、線形階調または中間階調を持つ場合を例にしたが、これらの諧調以外に他の形態の階調も含むことも可能である。図４の第１階調補正部２３及び第２階調補正部２４は、前記の実施例で各々第１ディザリング及び第２ディザリングを遂行するブロックとして使われたのである。
【００６８】
本発明のいくつかの実施例を図示して説明したが、本発明の属する技術分野の通常の知識を持った当業者ならば、本発明の原則や精神の範囲内で、本実施例を変形できることがわかる。発明の範囲は添付された請求項とその均等物により決められる。
【００６９】
本発明により、動映像信号に対する精細な表現が可能であると同時に擬似輪郭を効果的に低減させられる。
【図面の簡単な説明】
【００７０】
【図１】動映像擬似輪郭を低減するためのＰＤＰの概略的な制御ブロック図である。
【図２】加重された各サブフィールドにより、表示可能な階調の中で一部が羅列された表１を示した図である。
【図３】従来の動映像を表現するための動映像階調のサブフィールドコードワードを示した図である。
【図４】本発明の実施例によるディスプレー装置の制御ブロック図である。
【図５】ディザリング技法を利用して階調変換の頻度を調整する方法を説明する諧調分布図である。
【図６】複数の中間階調を持つ場合、階調変換方法を説明するための諧調分布図である。
【符号の説明】
【００７１】
１０  動映像検出部
２０  階調変換器
２１  逆ガンマ補正部
２２  階調制限及び誤差拡散部
２３  第１階調補正部
２４  第２階調補正部
３０  パネル駆動部
４０  動き測定部
【図１】
2005321775.tif 000003
【図２】
2005321775.tif 000004
【図３】
2005321775.tif 000005
【図４】
2005321775.tif 000006
【図５】
2005321775.tif 000007
【図６】
2005321775.tif 000008